(57)【要約】  【課題】被搬送物の傾斜角度を略９０度の値に設定できる搬送装置を提供する。  【解決手段】搬送装置２は無端体７を備え、無端体７には、屈曲可能な複数の搬送体８を搬送方向に沿って並設する。無端体７の回転で移動する搬送体８に沿って固定ガイド体９を配設する。水平姿勢の容器Ｗは、搬送体８の屈曲に伴って略９０度回動して傾斜姿勢となる。傾斜姿勢の容器Ｗは、側縁部を固定ガイド体９および固定板部にて支持するとともに底面部を起立状態の回動板部にて支持して搬送する。  【選択図】図１
2007055759.tif 000002
【特許請求の範囲】
【請求項１】
無端体と、
この無端体に搬送方向に沿って並設され、被搬送物を搬送する複数の搬送体と、
これら複数の搬送体に沿って配設された固定ガイド体とを備え、
前記搬送体は、
前記無端体に水平状態に固定された固定板部と、
この固定板部に上下方向に回動可能に設けられ、回動により水平状態および起立状態になる回動板部とを有し、
前記固定板部および前記水平状態の回動板部上に載置された水平姿勢の被搬送物は、前記固定板部に対する前記回動板部の上方への回動に伴って前記固定ガイド体にて案内されながら略９０度回動して傾斜姿勢となり、
この傾斜姿勢となった被搬送物は、その被搬送物の側縁部が前記固定ガイド体および前記固定板部にて支持されるとともにその被搬送物の底面部が前記起立状態の回動板部にて支持された状態で、前記搬送体の移動により傾斜姿勢のまま搬送方向に搬送される
ことを特徴とする搬送装置。
【請求項２】
搬送体の回動板部を下方から支持してこの回動板部を上下方向に回動させるガイドレールを備える
ことを特徴とする請求項１記載の搬送装置。
【発明の詳細な説明】
【技術分野】
【０００１】
本発明は、被搬送物の傾斜角度を略９０度の値に設定できる搬送装置に関するものである。
【背景技術】
【０００２】
従来、例えばトレイ等の被搬送物の一側を支持して搬送する搬送無端ベルトと、被搬送物の他側を支持して搬送しその搬送前期において上昇傾斜部にて被搬送物の他側を順次上方に持ち上げて被搬送物を所定量傾斜させかつその搬送後期において下降傾斜部にて被搬送物の他側を順次下方に持ち下げて被搬送物を水平姿勢にする傾斜無端ベルトと、傾斜姿勢の被搬送物の一側縁を滑動可能に支え止める固定ストッパとを備える自動反転装置等の搬送装置が知られている（例えば、特許文献１参照）。
【特許文献１】特開平４−１０１９２６号公報
【発明の開示】
【発明が解決しようとする課題】
【０００３】
しかしながら、上記従来の搬送装置のように、傾斜無端ベルトの上昇傾斜部によって被搬送物を所定量傾斜させる構成では、傾斜無端ベルトを持ち上げて被搬送物を傾けていくと被搬送物を支持する力は固定ストッパ側へと序々に移り、被搬送物と固定ストッパとの摩擦抵抗が大きくなるとともに、被搬送物と傾斜無端ベルトおよび搬送無端ベルトとの滑りが生じるようになって、被搬送物の傾斜角度を略９０度の値には設定できないという問題がある。
【０００４】
本発明は、このような点に鑑みなされたもので、被搬送物の傾斜角度を略９０度の値に設定できる搬送装置を提供することを目的とする。
【課題を解決するための手段】
【０００５】
請求項１記載の搬送装置は、無端体と、この無端体に搬送方向に沿って並設され、被搬送物を搬送する複数の搬送体と、これら複数の搬送体に沿って配設された固定ガイド体とを備え、前記搬送体は、前記無端体に水平状態に固定された固定板部と、この固定板部に上下方向に回動可能に設けられ、回動により水平状態および起立状態になる回動板部とを有し、前記固定板部および前記水平状態の回動板部上に載置された水平姿勢の被搬送物は、前記固定板部に対する前記回動板部の上方への回動に伴って前記固定ガイド体にて案内されながら略９０度回動して傾斜姿勢となり、この傾斜姿勢となった被搬送物は、その被搬送物の側縁部が前記固定ガイド体および前記固定板部にて支持されるとともにその被搬送物の底面部が前記起立状態の回動板部にて支持された状態で、前記搬送体の移動により傾斜姿勢のまま搬送方向に搬送されるものである。
【０００６】
請求項２記載の搬送装置は、請求項１記載の搬送装置において、搬送体の回動板部を下方から支持してこの回動板部を上下方向に回動させるガイドレールを備えるものである。
【発明の効果】
【０００７】
請求項１に係る発明によれば、水平姿勢の被搬送物は回動板部の上方への回動に伴って固定ガイド体にて案内されながら略９０度回動して傾斜姿勢となり、この傾斜姿勢となった被搬送物はその被搬送物の側縁部が固定ガイド体および固定板部にて支持されるとともにその被搬送物の底面部が起立状態の回動板部にて支持された状態で搬送される構成であるから、従来の搬送装置とは異なり、被搬送物の傾斜角度を略９０度の値に設定できる。
【０００８】
請求項２に係る発明によれば、搬送体の回動板部を支持するガイドレールによって回動板部を適切に上下回動させることができる。
【発明を実施するための最良の形態】
【０００９】
本発明の洗浄装置に係る一実施の形態を図面を参照して説明する。
【００１０】
図１ないし図３において、１は洗浄装置で、この洗浄装置１は、上面部に略矩形の開口部Ｗ1を有する略皿状の複数の被搬送物である容器Ｗ、例えば上面開口状の弁当箱を搬送方向に連続的に搬送し、その搬送途中で容器Ｗを水平姿勢から傾斜姿勢に姿勢変更して洗浄水等の洗浄液の噴射により洗浄、例えば下洗いをする連続式容器洗浄装置である。
【００１１】
なお、水平姿勢の容器Ｗはその開口部Ｗ1が上方を向いた姿勢（上方向き姿勢）であり、傾斜姿勢の容器Ｗはその開口部Ｗ1が搬送方向側方を向いた姿勢（側方向き姿勢）で、傾斜角度が略９０度の値に設定された状態である。
【００１２】
洗浄装置１は、図４ないし図８にも示すように、容器Ｗを搬送方向に搬送しその搬送途中で容器Ｗの姿勢を水平姿勢から略垂直の傾斜姿勢に変更する搬送装置である搬送手段２と、搬送手段２にて搬送中の傾斜姿勢の容器Ｗの開口部Ｗ1に向けて洗浄液を噴射することによりこの容器Ｗ内の内容物、例えば食べ残しの残飯等を排出すると同時にこの容器Ｗの内面を洗浄する洗浄液噴射手段３と、搬送手段２にて搬送中の傾斜姿勢の容器Ｗの底面部に向けて噴射液である噴射水を噴射することによりこの容器Ｗの姿勢を傾斜姿勢から開口部Ｗ1が下方を向いた下方向き姿勢つまり反転水平姿勢に変更する水噴射手段４とを備えている。
【００１３】
搬送手段２は、搬送方向に長手状のレール等の案内体６と、案内体６にて案内されながらこの案内体６に沿って移動する無端状のチェーン等の無端体７と、無端体７に搬送方向に沿って互いに隙間なく並設され容器Ｗを載置した状態で搬送する略板状の複数の搬送体（屈曲可能なプレート）８とを有している。また、搬送手段２は、複数の搬送体８に沿って配設され容器Ｗの側縁部を支えて容器Ｗが搬送体８から側方へ落ちないようにする搬送方向に長手状で垂直板状の固定ガイド体９と、搬送体８の回動板部14を下方から支持してこの回動板部14を上下方向に回動させる搬送方向に長手状のガイドレール10とを有している。なお、図２に示されるように、固定ガイド体９は、取付フレーム20に固定された第１ガイド部16と第２ガイド部17と第３ガイド部18とを有している。
【００１４】
無端体７は、複数の回転体11に掛け渡され、モータ等の駆動手段（図示せず）からの動力で回転する。無端体７の上側の往路部が案内体６の上部にこの案内体６に沿って摺動可能に嵌合されている。
【００１５】
各搬送体８は、例えば幅方向中間部で屈曲可能な板部材にて構成されている。各搬送体８は、無端体７に水平状態に固定された固定板部13を有している。固定板部13の搬送方向に沿った一端部には回動により水平状態および起立状態になる回動板部14が上下方向に回動可能に設けられ、固定板部13の搬送方向に沿った他端部が自由端部15となっている。固定板部13の自由端部15付近には固定ガイド体９が配設され、回動板部14の下方には回動板部14の下面と摺接するガイドレール10が配設されている。
【００１６】
そして、ともに水平状態となっている固定板部13および回動板部14上に載置された水平姿勢の容器Ｗは、固定板部13に対する回動板部14の上方への回動つまり搬送体８の屈曲に伴って固定板部13の側方から滑り落ちないように固定ガイド体９の第２ガイド部17にて案内されながら略９０度回動して略垂直に近い傾斜姿勢となる。
【００１７】
この傾斜姿勢となった容器Ｗは、その容器Ｗの側縁部が固定ガイド体９の第３ガイド部18および固定板部13の自由端部15にて支持されるとともにその容器Ｗの底面部が起立状態の回動板部14にて支持された状態で、無端体７の回転に基づく搬送体８の移動により固定ガイド体９の第３ガイド部18と摺接しながら傾斜姿勢のまま搬送方向に載置搬送される。
【００１８】
そして、この搬送体８にて搬送中の傾斜姿勢の容器Ｗの開口部Ｗ1に向けて、洗浄液噴射手段３の洗浄ノズル21および洗浄パイプ22から洗浄液が噴射されると、傾斜姿勢の容器Ｗ内の内容物（食べ残しの残飯等）が排出されると同時にこの容器Ｗの内面が洗浄される。このとき、傾斜姿勢の容器Ｗは、その容器Ｗの側縁部が固定ガイド体９の第３ガイド部18および固定板部13にて支持されるとともにその容器Ｗの底面部が起立状態の回動板部14にて支持されるため、洗浄液の噴射により倒れるようなことはない。
【００１９】
また、回動板部14は、傾斜姿勢の容器Ｗが倒れないように支えることができる高さであればよい。さらに、第３ガイド部18は傾斜姿勢となっている容器Ｗが固定板部13から滑って倒れないように容器Ｗの側縁部を支えることができる高さであればよく、傾斜姿勢の容器Ｗから内容物が排出しやすいようになっている。
【００２０】
次いで、傾斜姿勢の容器Ｗの底面部の上部に向けて水噴射手段４の噴射ノズル23から噴射水が噴射されると、容器Ｗは、固定ガイド体９の第３ガイド部18を回動中心として略９０度回動して傾斜姿勢から開口部Ｗ1が下方を向いた下方向き姿勢（反転水平姿勢）に姿勢変更する。反転水平姿勢の容器Ｗは、互いに離間対向した無端状の対をなす搬送チェーン25によって反転水平姿勢のまま載置搬送され、その後、メッシュコンベヤ等の搬出コンベヤ26に乗り移って次工程（メイン洗浄装置）へと搬出される。
【００２１】
なお、洗浄装置１は、水噴射手段４による姿勢変更時に容器Ｗの手前側への移動を規制して容器Ｗの側縁部を片方の搬送チェーン25に向けて案内する垂直板状の案内壁30を備えている。
【００２２】
次に、上記洗浄装置１の作用等を説明する。
【００２３】
食べ残しの残飯等の内容物が入った略皿状の容器Ｗは、開口部Ｗ1が上方を向いた上方向き姿勢である水平姿勢のまま、固定板部13および水平状態の回動板部14の上に載置されて搬送方向へ搬送される。
【００２４】
図５に示すように、搬送体８の回動板部14がガイドレール10と摺接しながら固定板部13に対して上方へ回動すると、容器Ｗは、この容器Ｗの側縁部が固定ガイド体９の第２ガイド部17に沿って第３ガイド部18と摺接する位置まで下降するように略９０度回動して固定板部13上で略垂直に近い傾斜姿勢となる。
【００２５】
そして、略垂直に近い傾斜姿勢となった容器Ｗは、その容器Ｗの側縁部が第３ガイド部18および固定板部13の自由端部15にて支持されるとともにその容器Ｗの底面部が起立状態の回動板部14にて支持された状態で、無端体７の回転に基づく搬送体８の移動により固定ガイド体９の第３ガイド部18と摺接しながら傾斜姿勢のまま載置搬送される。
【００２６】
図６に示すように、洗浄液が洗浄ノズル21および洗浄パイプ22から傾斜姿勢の容器Ｗの開口部Ｗ1に向って噴射されると、容器Ｗ内の内容物が排出されると同時にこの容器Ｗの内面が洗浄される。
【００２７】
なお、傾斜姿勢の容器Ｗは、第３ガイド部18と回動板部14によって支えられていることから、洗浄液の噴射力を強めても、傾斜姿勢を安定して使うことができる。
【００２８】
その後、噴射水が噴射ノズル23から傾斜姿勢の容器Ｗの底面部に向って噴射されると、容器Ｗは起立状態の回動板部14から離反する方向に向って第３ガイド部18を中心として回動して下方向き姿勢である反転水平姿勢となり、その後、容器Ｗはその反転水平姿勢のまま搬送方向に搬送される。
【００２９】
なお、容器Ｗの下方向き姿勢への姿勢変更時には、容器Ｗは、噴射ノズル23からの噴射水から受ける力で勢いよく回動して搬送チェーン25と衝突する。このため、洗浄液の噴射により排出されなかった内容物が残っていたとしても、容器Ｗと搬送チェーン25との衝突により内容物は容器Ｗ内から完全に排出される。
【００３０】
そしてこのような洗浄装置１によれば、水平姿勢の容器Ｗは固定板部13に対する回動板部14の上方への回動に伴って固定ガイド体９にて案内されながら略９０度回動して傾斜姿勢となり、この傾斜姿勢となった容器Ｗはその容器Ｗの側縁部が固定ガイド体９および固定板部13にて支持されるとともにその容器Ｗの底面部が起立状態の回動板部14にて支持された状態で搬送される構成であるから、容器Ｗの傾斜角度を略９０度の値に設定でき、よって洗浄液噴射手段３からの洗浄液で略垂直に近い容器Ｗ内を確実に洗浄できる。
【００３１】
また、固定板部13に対する回動板部14の上方回動により容器Ｗの固定ガイド体９側の側縁部を下げる構成であるため、容器Ｗの側縁部を上げる構成とした場合に必要なフックを設けなくてもよく、容器Ｗを互いに接触させて連続投入できる。
【００３２】
なお、上記実施の形態では、容器Ｗ等の被搬送物を搬送しながらその搬送途中で被搬送物を傾斜姿勢にして洗浄する洗浄装置１に搬送装置である搬送手段２を適用した場合について説明したが、例えば図示しないが、被搬送物を搬送しながらその搬送途中で被搬送物を略９０度回動した傾斜姿勢にして被搬送物内の内容物或いは被搬送物上の載置物を排出する物品排出装置（反転装置等）にも適用できる。
【００３３】
また、図示しないが、搬送体８の屈曲開始付近、つまり回動板部14の上方回動開始付近において、容器Ｗにおける搬送方向下流側の固定板部13上の部分を押えて容器Ｗの搬送方向下流側の浮き上がりを防止する回転可能な横転補助ブラシを配設してもよい。
【図面の簡単な説明】
【００３４】
【図１】本発明の一実施の形態に係る搬送装置を備えた洗浄装置の概略平面図である。
【図２】同上洗浄装置の概略正面図である。
【図３】図１におけるIII−III断面図である。
【図４】図２におけるIV−IV断面図である。
【図５】図２におけるＶ−Ｖ断面図である。
【図６】図２におけるVI−VI断面図である。
【図７】図２におけるVII−VII断面図である。
【図８】図２におけるVIII−VIII断面図である。
【符号の説明】
【００３５】
２    搬送装置である搬送手段
７    無端体
８    搬送体
９    固定ガイド体
10    ガイドレール
13    固定板部
14    回動板部
Ｗ    被搬送物である容器
【図１】
2007055759.tif 000003
【図２】
2007055759.tif 000004
【図３】
2007055759.tif 000005
【図４】
2007055759.tif 000006
【図５】
2007055759.tif 000007
【図６】
2007055759.tif 000008
【図７】
2007055759.tif 000009
【図８】
2007055759.tif 000010